(57)【特許請求の範囲】
【請求項１】
ケース体の側壁部の内側に長手方向を沿わせて配置され内側外側二列の端子取付部を有する端子台に、長手方向の両端で止め具により連結される端子台カバーを備えた端子台構造において、前記端子台カバーの一端部に前記止め具が嵌合する切欠部を形成し、前記端子台カバーの他端部に前記止め具が嵌合する長孔を形成し、前記各止め具を緩めた状態で、端子台カバーを前記側壁部の外側に向けてスライドし前記内側一列の端子取付部を露出させ、端子台カバーの他端側を基準に一端側を前記側壁部の外側に張り出すように回動しすべての前記端子取付部を露出させ、前記端子台への結線、或いは前記端子台からの配線の取り外しを可能としたことを特徴とする端子台構造。
【請求項２】
支柱に取り付けるためのクランプ部を有する取付部と、光源を収容する防水構造の光源収容部とを一体に備え、前記取付部のケース体の内側に、前記支柱の内側を延出して配線される電源ケーブルを結線するための内側外側二列の端子取付部を有する端子台を、前記ケース体の側壁部に沿わせて配置し、前記端子台に長手方向の両端で止め具により連結された端子台カバーを備え、前記端子台カバーの一端部に前記止め具が嵌合する切欠部を形成し、前記端子台カバーの他端部に前記止め具が嵌合する長孔を形成し、前記各止め具を緩めた状態で、端子台カバーを前記側壁部の外側に向けてスライドし前記内側一列の端子取付部を露出させ、端子台カバーの他端側を基準に一端側を前記側壁部の外側に張り出すように回動しすべての前記端子取付部を露出させ、前記端子台への結線、或いは前記端子台からの前記配線の取り外しを可能としたことを特徴とする照明器具。
【請求項３】
前記取付部には、前記クランプ部及び前記端子台を覆うように防雨構造の蓋体が開閉自在に設けられていることを特徴とする請求項２に記載の照明器具。
【請求項４】
前記取付部の底部に雨水等を排出する排水口を備えたことを特徴とする請求項２又は３に記載の照明器具。
【請求項５】
前記取付部及び前記光源収容部が隔壁で仕切られ、前記光源がＬＥＤであり、前記ＬＥＤから延びた配線が前記隔壁を水密に貫通し、前記取付部の内側の前記端子台に結線されていることを特徴とする請求項２乃至４のいずれか一項に記載の照明器具。
【発明の詳細な説明】
【技術分野】
【０００１】
本発明は、端子台構造および照明器具に関する。
【背景技術】
【０００２】
従来、端子取付部への誤接触防止のために、上面にカバー部材をねじで取り付けた端子台がある。この端子台では、作業時にはカバー部材を取り外して端子取付部を露出させる必要があり、作業が煩雑であった。また、カバー部材を取り外したときに、カバー部材やねじを落とす虞もあった。
これに対し、一端部が回転可能に連結され端子取付部の上部を覆う閉位置と端子取付部の上部を開放する開位置との間で変位する板状のカバー部材を備えた端子台が提案されている（例えば、特許文献１参照）。この端子台によれば、簡単な手作業で、端子取付部を露出させることができ、カバー部材やねじを落とす虞もないという利点がある。
【先行技術文献】
【特許文献】
【０００３】
【特許文献１】特開２００８−１７６９４６号公報
【発明の概要】
【発明が解決しようとする課題】
【０００４】
しかしながら、上記構成の端子台では、端子取付部を十分に露出させるためにはカバー部材を大きく回動させる必要があり、カバー部材の干渉を避けるためには端子台の周辺に十分なスペースが必要となり、省スペース化を図ることが難しいという問題点がある。
本発明は、上述した事情に鑑みてなされたものであり、省スペース化を図ることができる端子台構造およびそれを用いた照明器具を提供することを目的とする。
【課題を解決するための手段】
【０００５】
本発明は、ケース体の側壁部の内側に長手方向を沿わせて配置され内側外側二列の端子取付部を有する端子台に、長手方向の両端で止め具により連結される端子台カバーを備えた端子台構造において、前記端子台カバーの一端部に前記止め具が嵌合する切欠部を形成し、前記端子台カバーの他端部に前記止め具が嵌合する長孔を形成し、前記各止め具を緩めた状態で、端子台カバーを前記側壁部の外側に向けてスライドし前記内側一列の端子取付部を露出させ、端子台カバーの他端側を基準に一端側を前記側壁部の外側に張り出すように回動しすべての前記端子取付部を露出させ、前記端子台への結線、或いは前記端子台からの配線の取り外しを可能としたことを特徴とする。
【０００６】
本発明は、支柱に取り付けるためのクランプ部を有する取付部と、光源を収容する防水構造の光源収容部とを一体に備え、前記取付部のケース体の内側に、前記支柱の内側を延出して配線される電源ケーブルを結線するための内側外側二列の端子取付部を有する端子台を、前記ケース体の側壁部に沿わせて配置し、前記端子台に長手方向の両端で止め具により連結された端子台カバーを備え、前記端子台カバーの一端部に前記止め具が嵌合する切欠部を形成し、前記端子台カバーの他端部に前記止め具が嵌合する長孔を形成し、前記各止め具を緩めた状態で、端子台カバーを前記側壁部の外側に向けてスライドし前記内側一列の端子取付部を露出させ、端子台カバーの他端側を基準に一端側を前記側壁部の外側に張り出すように回動しすべての前記端子取付部を露出させ、前記端子台への結線、或いは前記端子台からの前記配線の取り外しを可能としてもよい。
【０００７】
本発明では、端子台カバーの両端の止め具を緩めた状態で、他端側を前記側壁部の外側に向けてスライドさせ、かつ、他端側を基準に一端側を前記側壁部の外側に張り出すように回動させることで、端子台への結線、或いは端子台からの配線の取り外しを可能としたので、端子台をケース体の側壁部に近づけて配置しても、端子台カバーを取り外すことなく、端子台の上部を十分に露出させて端子台への結線、或いは前記端子台からの配線の取り外し作業を行うことができる。したがって、高い安全性と良好な作業性とを確保しつつ、ケース体内部の省スペース化を図ることができる。
照明器具は、支柱に取り付けるためのクランプ部を有する取付部と、光源を収容する防水構造の光源収容部とに区別されているため、本照明器具を屋外で支柱に取り付けるに際し、光源収容部側を開放することなく、取付部の蓋体を開放するだけで、支柱とクランプ部との連結作業を行える。例えば、ＬＥＤなどの長寿命の光源使用時において光源収容部はいわばメンテナンスフリーである。メンテナンスフリーの場合には、従来のように、ランプ交換の必要がなく、光源収容部を一々開放する必要がないため、工場出荷時のまま、長期間に亘って光源収容部の水密性を維持できる。
また、取付部には、支柱の内側を延出して配線される電源ケーブルを結線する端子台を備えるため、本照明器具の施工時には、支柱への高所取付作業に際し、まず支柱とクランプ部との連結作業を行い、ついで電源ケーブルの結線作業を行えばよく、取付作業が簡素化される。電源ケーブルは、支柱内において、まず一端を電源に接続し、他端を支柱の内側を延出させて、取付部内に導出し、取付部内の端子台に結線すればよい。この構成では、電源ケーブルの結線作業が容易になる。
【０００８】
この場合において、前記取付部には、前記クランプ部及び前記端子台を覆うように防雨構造の蓋体が開閉自在に設けられていてもよい。
また、前記取付部の底部に排水口を備えてもよい。
前記取付部及び前記光源収容部が隔壁で仕切られ、前記光源がＬＥＤであり、前記ＬＥＤから延びた配線が前記隔壁を水密に貫通し、前記取付部の内側の前記端子台に結線されていてもよい。
【発明の効果】
【０００９】
本発明によれば、端子台カバーの両端の止め具を緩めた状態で、他端側を前記側壁部の外側に向けてスライドさせ、かつ、他端側を基準に一端側を前記側壁部の外側に張り出すように回動させることで、端子台への結線、或いは端子台からの配線の取り外しを可能としたので、端子台をケース体の側壁部に近づけて配置しても、端子台カバーを取り外すことなく、端子台の上部を十分に露出させて端子台への結線、或いは前記端子台からの配線の取り外し作業を行うことができる。したがって、高い安全性と良好な作業性とを確保しつつ、ケース体内部の省スペース化を図ることができる。
【図面の簡単な説明】
【００１０】
【図１】本実施形態に係る照明器具の外観構成を示す斜視図である。
【図２】照明器具の配置例、並びに配光を示す図である。
【図３】照明器具の底面図である。
【図４】図３におけるＩ−Ｉ断面図である。
【図５】開蓋時の照明器具の構成を示す斜視図である。
【図６】取付部の内部構成を拡大して示す斜視図である。
【図７】カバーと蓋体との重なり部分を拡大して示す図である。
【図８】カバーと蓋体との重なり部分の幅方向中央部の断面図である。
【図９】端子台ユニットの動作を示す図である。
【図１０】本発明の別の実施形態に係る照明器具の開蓋時の構成を示す斜視図である。
【図１１】同照明器具の取付部の内部構成を拡大して示す斜視図である。
【図１２】本発明の別の実施形態に係る照明器具の構成を示す断面図である。
【図１３】照明器具の電源供給回路の構成を示す図である。
【図１４】経過時間に対するＬＥＤ素子の光束維持率を示す図表である。
【図１５】ＬＥＤモジュールの点灯制御を示すフローチャートである。
【発明を実施するための形態】
【００１１】
以下、図面を参照して本発明の実施形態について説明する。
図１は、本実施形態に係る照明器具１の外観構成を示す斜視図である。
照明器具１は、図１に示すように、道路脇に設けられた支柱３の上端に取り付けられている。支柱３の下部には、照明器具１に電力を供給するＬＥＤ電源（ＡＣ／ＤＣ電源）７が収容されている。照明器具１は、アルミダイカスト等で形成され支柱３の上端部に固定される下部本体９と、この下部本体９の上側に設けられたカバー１１および蓋体１３とを備える。下部本体９基端側の下面には支柱３を挿入するための支柱用開口１５Ａが設けられており、本実施形態では、下部本体９の下面の支柱用開口１５Ａに支柱３が挿し込まれている。下部本体９基端側の背面には、ノックアウトホールの支柱用開口１５Ｂが設けられており、後述する別実施形態（図１０参照。）では、支柱用開口１５Ａを閉じた状態で、支柱用開口１５Ｂを開口させて、該支柱用開口１５Ｂに支柱３が挿し込まれる。
照明器具１は、下部本体９の基端側が支柱３に固定されることで、図２に示すように、下部本体９の先端側が道路Ｒの路面に張り出すように設置される。
【００１２】
照明器具１は、図２に示すように、道路Ｒの片側に所定取り付け間隔Ｍで配置されている。本実施形態では、この照明器具１を、幅員Ｗ＝７Ｍ（メートル）の２車線道路の片側に、所定取り付け高さ１０Ｍ（メートル）、および所定取り付け間隔Ｍ＝４０Ｍ（メートル）で配置して、各照明器具１により道路Ｒの路面を照度ムラなく照明する。
すなわち、照明器具１は、図１、図２Ａに示すように、道路Ｒでの照射位置が異なる光源であるＬＥＤモジュール１７として、ＬＥＤモジュール１７Ａ、１７Ｂ、１７Ｃを備えている。
ＬＥＤモジュール１７Ａは、図２Ｂに示すように、隣の照明器具１との約中間地点の路面範囲Ａ１７Ａを照射するものであって、照明器具１の斜め前方から車線軸方向に沿った所定長（例えば１０Ｍ弱〜３０Ｍ弱）の路面範囲Ａ１７Ａを照射する。このＬＥＤモジュール１７Ａは、車線に沿った左右対称配光のために照明器具１の左右両側に１つずつ設けられている。また、ＬＥＤモジュール１７Ｂは、照明器具１の器具直下を含む近傍の範囲であって、照明器具１側の第１車線、及び歩道側を含み車線に沿った幅が約１０Ｍの路面範囲Ａ１７Ｂを照射する。このＬＥＤモジュール１７Ｂは、下部本体９の先端側に配置される。ＬＥＤモジュール１７Ｃは、照明器具１の正面側遠方（すなわち道路Ｒの幅員方向の遠方）である第２車線を含み車線に沿った幅が約１０Ｍ強の路面範囲Ａ１７Ｃを照射する。このＬＥＤモジュール１７Ｃは、下部本体９の基端側に配置される。
これらＬＥＤモジュール１７Ａ〜１７Ｃは、複数のＬＥＤユニット１９からなり、それぞれのＬＥＤユニット１９はＬＥＤ素子２１およびＬＥＤ素子２１の放射光を反射する反射鏡２３を有している。照明器具１の下側を構成する下部本体９の下面には、例えば強化ガラス等で形成された透光板２５が嵌め込まれる投光開口２７が形成されており、ＬＥＤ素子２１から放射された光、及び、反射鏡２３によって反射された光が投光開口２７から透光板２５を透過して路面に照射され、道路照明が行われる。
【００１３】
図３は照明器具１の底面図、図４は図３におけるＩ−Ｉ断面図である。
図３、図４に示すように、照明器具１は、光源たるＬＥＤモジュール１７を収容する防水構造の光源収容部２９と、下部本体９を支柱３に取り付けるためのクランプ部３１を有する取付部３３と、を一体に備えている。具体的には、下部本体９は内部を仕切る隔壁３５により先端側の部屋と基端側の部屋とに分かれており、先端側の部屋にカバー１１が封着されて水密な光源収容部２９が形成され、基端側の部屋が開閉自在な蓋体１３で覆われて取付部３３が形成されている。
【００１４】
光源収容部２９には、点灯ユニットたるドライバ３９と、このドライバ３９に電気配線接続された光源としての複数のＬＥＤモジュール１７とが収められており、この光源収容部２９の下面に、上述した投光開口２７が形成されている。
図３に示すように、ＬＥＤモジュール１７から延びる電線４１は、ドライバ３９を介し、隔壁３５を貫通して取付部３３内へと延出している。図４を参照し、光源収容部２９のカバー１１の縁部１１Ａには図示しないパッキンが設けられており、カバー１１と下部本体９との接触部分がこのパッキンにより水密され、風雨や異物の浸入防止が図られている。
【００１５】
図５は蓋体１３を開いた状態を示す斜視図、図６は図５における要部拡大図である。
図５、図６に示すように、取付部３３において、上記の蓋体１３を開けると、クランプ部３１及び端子台５３が露出する。クランプ部３１は、アルミダイカスト等で一体に形成された部材であり、図６に示すように、略鉛直方向に延びる筒形状を有する支柱受け部５６と、支柱受け部５６の下部に略水平方向に延設されるフランジ部６０とを備えている。このフランジ部６０は、複数のクランプ部取付ボルト４６により、クランプ部取付ボス４５に取り付けられ、クランプ部取付ボス４５は、下部本体９の底面に一体的に形成されている。クランプ部３１は、図４に示すように、下部本体９背面の支柱用開口１５Ｂを塞ぐ背面嵌合部５８を備え、該背面嵌合部５８には、略水平方向に穿孔されて、支柱受け部５６の内周まで貫通するねじ孔４７が設けられている。該ねじ孔４７には、支柱締付ボルト４９がねじ込まれている。この支柱締付ボルト４９を締めこんで、支柱３の上端部をクランプ部３１に押し付けることで、支柱３に下部本体９が固定され、下部本体９のがたつきが防止される。
また、図５、図６に示すように、支柱受け部５６には、外周面から内周面まで貫通するねじ穴（不図示）に抜止めボルト４８がねじ込まれている。この抜け止めボルト４８を締めこんで支柱受け部５６の内側に突出させ、図４に示すように支柱３の上端部に設けられた抜止めボルト孔５９に嵌合させることで、支柱３を軸としての下部本体９の回転止めおよび抜止めが行われる。
【００１６】
クランプ部３１は、図６に示すように、開口９１を有し、開口９１の上方には、支柱３の内側を延出する電源ケーブル５１を保持するホルダ９４が設けられている。電源ケーブル５１は、例えば４芯のキャブタイヤケーブルであり、ホルダ９４の上方に延出する先端部分の被覆が除去されて４本の細線５２とされている。各細線５２の先端には、端子５４が圧着されている。
【００１７】
また、図５、図６に示すように、取付部３３において、下部本体９の側壁部９Ａとクランプ部取付ボス４５との間には、側壁部９Ａに沿う二箇所に、ねじ穴を有する端子台ユニット取付ボス６２が一体的に設けられており、この端子台ユニット取付ボス６２に端子台ユニット７１が固定されている。端子台ユニット７１は、ハット型の端子台取付金具７３と、この端子台取付金具７３の凹部に収容される端子台５３と、端子台５３を覆う端子台カバー７７とを備えている。端子台取付金具７３は、取付ねじ７２により、端子台ユニット取付ボス６２に取り付けられ、これにより端子台ユニット７１が下部本体９に固定されている。また、端子台取付金具７３の凹部には絶縁体の端子台５３が配置され、この端子台５３は、端子台取付ねじ７６により端子台取付金具７３に固定されている。
【００１８】
端子台５３は、二列に亘って、それぞれ４つ（合計８つ）の端子取付部７９を備えており、内側一列の端子取付部７９に、支柱３の内側を延出して配線される電源ケーブル５１の先端の細線５２が端子５４を介して結線され、外側一列の端子取付部７９に、ＬＥＤモジュール１７から延びる４本の電線４１が端子４２を介して接続されている。
この電線４１は、図６に示すように、隔壁３５の開口３６に水密に嵌め込まれた隔壁パッキン３７を貫通して、光源収容部２９から取付部３３へと延出している。隔壁パッキン３７は、例えばゴムで形成されたシール部材であり、中央部に通気性を有する防水フィルター３８が水密にはめ込まれている。また、隔壁パッキン３７の上部には横１列に並ぶ４つの電線貫通開口４４と、隔壁パッキン３７の上端から電線貫通開口４４へとつながる４つの切れ込み４０が形成されており、電線４１を隔壁パッキン３７に貫通させる際には、切れ込み４０を拡げて電線４１を電線貫通開口４４まで移動させる。電線貫通開口４４は電線４１より若干小径に形成されており、隔壁パッキン３７の外形は隔壁３５の開口３６より若干大きく形成されているので、電線４１を隔壁パッキン３７に貫通させ、隔壁パッキン３７を開口３６に嵌め込むことで、光源収容部２９の水密が保たれる。取付部３３において、４本の電線４１は、保護チューブで束ねられているが、端子台５３付近では保護チューブが除去されて４本に分かれている。また、取付部３３の底部の四隅には排水口３４が設けられている。排水口３４は、取付部３３内に浸入する雨水を外部へ排出するためのものであり、仮に取付部３３内に雨水が浸入したとしても、雨水は取付部３３内に滞留することなく外部へ排出される。
【００１９】
また、取付部３３には、クランプ部３１及び端子台５３を覆うように、蓋体１３が開閉自在に設けられている。この蓋体１３は、下部本体９の基端部に配設されたヒンジ５５に軸支され、下部本体９に対して上方向に回動して開蓋可能に構成されている。すなわち、ヒンジ５５が外れたり破損したりしたとしても、蓋体１３が即落下或いは垂れ下がりに繋がることが無いようになされている。取付作業や保守点検作業を行う際、蓋体１３を上方に開蓋して作業が行われる。蓋体１３を開いた状態で作業する際に、蓋体１３が邪魔にならないように、蓋体１３を下部本体９に対して開いた状態で保持する蓋体支持装置５７が下部本体９に設けられている。
【００２０】
蓋体１３は、上に凸の湾曲した形状を有している。蓋体１３の両側縁には、外側リブ１３Ａが形成され、外側リブ１３Ａは、下部本体９に設けた内側リブ９Ｂの外側にぴったり重なり合い、取付部３３内への雨水等の浸入が抑止される。
また、図７に示すように、蓋体１３の先端部には、ねじ５９が嵌合する連結片６１が設けられており、連結片６１に設けたねじ５９を、カバー１１上面の支持部６３のねじ穴６４に締めこむことにより、蓋体１３の閉状態が確実に保持されている。道路脇の比較的高所に照明器具１を設置し、風雨や震動によって蓋体１３を開こうとする比較的強い力が加わったとしても、蓋体１３の開蓋が防止される。
【００２１】
つぎに、蓋体１３の先端部と、光源収容部２９のカバー１１の上面との防雨構造を説明する。カバー１１の上面は、蓋体１３と同様に、上に凸の湾曲した形状を有し、防雨構造として、カバー１１の上面には、カバー１１の幅方向に連続的に湾曲して、蓋体１３側に突出する止水部６５が設けられている。一方、蓋体１３は先端部に、防雨構造として、カバー１１側に屈曲する屈曲部６７を備え、蓋体１３が閉じられたときには、図８に示すように、屈曲部６７が、カバー１１上面の止水部６５と嵌合し、取付部３３への雨滴の直接浸入を確実に防ぐことができる。なお、防雨構造としては、蓋体１３の先端部に屈曲部６７を設ける構成に限定されず、蓋体１３の先端部を、止水部６５を越えて水平に延長させて雨滴の直接浸入を防止する構成としても良い。
【００２２】
カバー１１上面の止水部６５で遮られた雨水等は、カバー１１上面の凸形状に沿って設けられた排水溝６９を通ってカバー１１の両側に流出する。この排水溝６９は、カバー１１の幅方向に連続してカバー１１の側面まで延びており、カバー１１の側面付近では、図７に示すように、排水溝６９の終端部６９Ａの溝幅が狭く形成されるとともに、終端部６９Ａの溝は、光源収容部２９の先端側にオフセットされている。これにより、カバー１１の側面付近では、雨水が排水溝６９の終端部６９Ａに沿って先端側へと誘導され、終端部６９Ａの先端部６９Ｂから外部へ排出される。したがって、排水溝６９を流下する雨水等が取付部３３の内部に浸入することがない。
この構成によれば、従来必要であった余分なパッキン等のシール部材が必要無く、簡単な構成で、防雨構造を構成できる。
また、カバー１１上面の止水部６５の幅方向中央部には、支持部６３が設けられ、支持部６３にはねじ穴６４が設けられ、ねじ穴６４に、蓋体１３固定用のねじ５９が締め込まれている。この支持部６３の上面は、排水溝６９の溝底と比較して蓋体１３側に突出しており、排水溝６９を流れる雨水がねじ穴６４に浸入することが無い。蓋体１３の連結片６１は、カバー１１の支持部６３よりも排水溝６９内に突出しており、カバー１１上面の支持部周辺の排水溝６９は幅広に形成されている。
この構成によれば、支持部６３の周辺の排水溝６９に手指を挿入して蓋体１３の連結片６１を容易に押し上げ可能である。
【００２３】
つぎに、端子台ユニット７１の端子台カバー７７を説明する。
図５、図６に示すように、端子台ユニット７１は、端子台５３を覆う端子台カバー７７を備えて構成されている。端子台カバー７７は、端子台５３の上方を覆う板状のカバー部材であり、例えば透明な樹脂材料で形成されている。端子台カバー７７は、端子台５３の上方を覆い、誤接触を防ぐ閉位置と、複数の端子取付部７９を露出させて結線或いは配線の取り外しを可能にする開位置との間で変位可能である。端子台カバー７７の一端部には、短手方向に延びてクランプ部３１側に向かって開口する切欠部８１が設けられ、この切欠部８１は、端子台カバー７７が閉状態では、端子台取付金具７３の一端部の止め具である端子台カバー取付ねじ７５Ａと嵌合する。また、端子台カバー７７の他端部には短手方向に延びる長孔８３が設けられ、この長孔８３には、他端部の止め具である端子台カバー取付ねじ７５Ｂが挿通されて端子台取付金具７３にねじ込まれている。端子台カバー７７は、両端部の端子台カバー取付ねじ７５Ａ、７５Ｂを緩めた際には、端子台カバー７７を、切欠部８１および長孔８３の延びる方向である端子台ユニット７１の短手方向のうち下部本体９の側壁部９Ａに向かう方向にスライド可能に構成されている。
また、スライドにより切欠部８１が端子台カバー取付ねじ７５Ａから離脱した際には、端子台カバー７７は、端子台取付金具７３にねじ込まれた端子台カバー取付ねじ７５Ｂに回転自在に軸支される。
【００２４】
長孔８３の長さＬは、端子台カバー７７を側壁部９Ａ側（外側）に向かって限界までスライドさせたときに、端子台５３の上面のうち、クランプ部３１側の略半分が露出する長さに設定される。これにより、端子台カバー７７をスライドさせるだけで電源ケーブル５１の先端の端子５４の取付または取り外しが可能となる。
端子台カバー７７は透明体であるが、不透明体であっても良い。不透明体の場合には、複数の端子取付部７９を外観で目視できない。この場合には、端子台カバー７７をスライドさせるだけで、内側一列の端子取付部７９が露出するため、該端子取付部７９との接続状況を目視でき、端子台カバー７７を回動させることで、外側一列の端子取付部７９との接続状況を目視できる。
【００２５】
また、図６に示すように、端子台カバー７７の下面は、側壁部９Ａの上面と略平行となり、かつ、側壁部９Ａの上面より高い位置に位置するように構成されている。すなわち、端子台カバー７７は、両端部の端子台カバー取付ねじ７５Ａ、７５Ｂを緩めた状態では、端子台カバー取付ねじ７５Ｂを基準に一端側である切欠部８１側を下部本体９の側壁部９Ａの外側に張り出すように回動可能に配置されている。したがって、端子台ユニット７１が、側壁部９Ａに近接して配置されていたとしても、端子台カバー７７をスライドまたは回動させたときに、端子台カバー７７が下部本体９の側壁部９Ａに干渉することがない。
【００２６】
図９Ａに示すように、蓋体１３を開けたときには、端子台カバー７７は閉位置、すなわち、複数の端子取付部７９を全て覆う位置で固定されている。端子台カバー７７の一端部は、切欠部８１が端子台カバー取付ねじ７５Ａと嵌合して端子台取付金具７３に締め付け固定されており、端子台カバー７７の他端部は、長孔８３を貫通する端子台カバー取付ねじ７５Ｂにより端子台取付金具７３に締め付け固定されている。
端子台カバー７７両端の端子台カバー取付ねじ７５Ａ、７５Ｂを緩めると、端子台カバー７７を、図９Ｂに示すように、端子台ユニット７１の短手方向のうち下部本体９の側壁部９Ａに向かう方向（外側）にスライド可能な状態となる。端子台カバー７７を外側にスライドさせると、端子台５３の上面のうち、内側一列の端子取付部７９が露出し、電源ケーブル５１の結線や配線の取り外しが可能となる。
また、一端部の切欠部８１が、端子台カバー取付ねじ７５Ａから離脱するので、他端部の長孔８３を貫通する端子台カバー取付ねじ７５Ｂを中心として、図９Ｃに示すように、端子台カバー７７を回動可能な状態となる。このとき、一端部の切欠部８１の形状は、他端部に向けて円弧状に湾曲するため、端子台カバー７７をスライドさせると同時に、端子台カバー７７の回動も可能となっている。
【００２７】
端子台カバー７７を下部本体９の側壁部９Ａの外側に向かって小さな角度θだけ回動させると、端子台５３における複数の端子取付部７９の上面が全て露出する。このとき、端子台カバー７７をさらに外側に向かって回動させようとしても、端子台ユニット取付ねじ７２の頭部に当たり、これがストッパ（回動規制部材）となって、端子台カバー７７の小さな角度θ以上の回動が規制される。図９Ｃに示す状態では、端子台５３における複数の端子取付部７９の上面が全て露出しているので、電源ケーブル５１の先端である端子５４や電線４１の先端である端子４２を、端子台５３に結線または取り外しする作業を容易に行うことが出来る。端子台カバー７７が必要以上に回動することが無く、作業の邪魔となることが無い。
【００２８】
本実施の形態では、図９Ｂに示すように、第一に、端子台カバー７７の外縁部が、下部本体９の側壁部９Ａの内側に近接するまで、端子台カバー７７をスライドさせ、第二に、図９Ｃに示すように、その位置から端子台カバー７７を小さな角度θだけ回動させる。この構成では、端子台５３が全て露出するまで、端子台カバー７７をスライドさせた場合と、端子台５３が全て露出するまで、回動させた場合と比較すると、下部本体９の側壁部９Ａの外側に、端子台カバー７７を大きく張り出すことなく、端子台５３を全て露出でき、端子台５３に結線または取り外しする作業を容易に行うことが出来る。
【００２９】
図６を参照し、取付部３３において、クランプ部３１の支柱受け部５６は鉛直方向に延出しており、略円筒状の支柱受け部５６内に、支柱３の上端部が固定されている。支柱３の上端の開口４内には略水平方向に延びる支持軸８５が設けられており、この支持軸８５には落下防止ワイヤ９２の一端が止着され、落下防止ワイヤ９２の他端は、取付部３３内に設けられたワイヤ固定ボルト９３に連結されている。
つぎに、電源ケーブル５１の支持構造を説明する。
支柱受け部５６の上部には、上面視で支柱３の上端の開口４のうち支持軸８５よりも端子台５３側に寄せた位置で支柱３の内側を延出する電源ケーブル５１を保持するホルダ９４が固定されている。このホルダ９４は、平行に配置される二つの板状部材９５と、この二つの板状部材９５の両端同士を連結する二本のボルト９７とを備え、板状部材９５の間に電源ケーブル５１を挟み込み、ボルト９７を締めこむことにより、電源ケーブル５１を湾曲すること無く簡単かつ確実に保持する。前記板状部材９５は、例えば一方の面に断面円弧状の溝９９Ａを有し、他方の面に断面台形状の溝９９Ｂを有していてもよい。断面円弧状の溝９９Ａ同士、あるいは断面台形状の溝９９Ｂ同士を向かい合わせて電源ケーブル５１を挟み込むことにより、断面形状が異なる電源ケーブル５１を確実に保持することができる。本実施形態では、ワイヤ固定ボルト９３が、支持軸８５よりも端子台５３が配置されていない側の側壁部９Ａに寄せた位置に配置されており、電源ケーブル５１の結線作業あるいは取り外し作業のときに、電源ケーブル５１と落下防止ワイヤ９２が交差せず、作業性の低下が防止できる。
【００３０】
上記ホルダ９４は、被覆した電源ケーブル５１を保持し、この保持位置より上方に延出した電源ケーブル５１は、被覆を除去されて複数の細線５２とされ、適宜のカーブで、複数の細線５２の状態で下方へ湾曲される。このカーブは、細線５２に許容された大きさのカーブであり、被覆した電源ケーブル５１に許容された大きさに比べて、かなり小さなカーブとなり、コンパクトな配線が可能となる。
このホルダ９４の水平側方には、略筒状のサブホルダ９６が一体に設けられ、サブホルダ９６は、下方へ湾曲された細線５２の束を保持する。ホルダ９４およびサブホルダ９６のサイズは、前述のようにホルダ９４とサブホルダ９６との間で湾曲される電源ケーブル５１の曲率半径が所定長さ以上となるように、例えば被覆除去後の電源ケーブルである細線５２の外径の６倍以上となるように構成されており、電線の過度の湾曲による不具合、例えば電気抵抗の増加などが防止される。
【００３１】
以上説明したように、本実施形態では、支柱３に取り付けるためのクランプ部３１を有する取付部３３と、光源を収容する防水構造の光源収容部２９とを一体に備え、取付部３３の側壁部９Ａの内側に、前記支柱３の内側を延出して配線される電源ケーブル５１を結線するための端子台５３を配置したので、支柱３への取付作業および電源ケーブル５１の結線作業を同時に行うことができ、取付および保守作業を簡略化して、使い勝手を向上させることができる。
また、端子台カバー７７を備えた端子台ユニット７１がケース体である下部本体９の側壁部９Ａの内側に長手方向を沿わせて配置され、端子台カバー取付ねじ７５Ａ、７５Ｂを緩めた状態で、端子台カバー７７を側壁部９Ａの外側に向けてスライドさせて一端側の切欠部８１を端子台カバー取付ねじ７５Ａから外し、かつ、他端側の長孔８３を貫通する端子台カバー取付ねじ７５Ｂを基準に一端側である切欠部８１側を側壁部９Ａの外側に張り出すように回動させることで、端子台５３への結線、或いは端子台５３からの配線の取り外しを可能としたので、誤接触防止のための端子台カバー７７を備えた端子台ユニット７１を側壁部９Ａに近づけて配置しても、端子台カバー７７を取り外すことなく、端子台カバー７７を小さな角度θだけ回動させることで端子台５３上部の端子取付部７９を全て露出させて端子５４および端子４２の取付または取り外し作業を容易に行うことができる。したがって、高い安全性と良好な作業性とを維持しながらも、ケース体内部を省スペースとした照明器具１を提供することができる。
【００３２】
また、本実施形態では、取付部３３には、クランプ部３１及び端子台５３を覆うように防雨構造の蓋体１３が開閉自在に設けられているので、従来必要であった余分なパッキン等のシール部材が必要無く、簡単な構成で、防雨構造を構成できると共に、雨が端子台５３に直接かかることが無く、短絡等のトラブルを確実に避けることができる。
また、本実施形態では、取付部３３の底部に排水口３４が設けられているので、雨水が取付部３３内部に滞留して端子台５３が冠水することが無く、短絡等のトラブルをより確実に避けることができる。
【００３３】
また、本実施形態では、取付部３３及び光源収容部２９は隔壁３５で仕切られており、光源がＬＥＤモジュール１７であり、ＬＥＤモジュール１７から延びた配線が前記隔壁３５を水密に貫通し、前記取付部３３の内側の端子台５３に結線されているので、光源収容部２９を完全にメンテナンスフリーとすることができ、取付および保守作業を一層簡略化して使い勝手を向上させることができる。
【００３４】
図１０及び図１１は、別の実施形態を示す。
なお、図１０及び図１１において、上記の実施形態で説明した部分については同一の符号を付してその説明を省略する。
この照明器具１００においては、取付部３３内において、クランプ部１３１が略水平に配置されている。クランプ部１３１は略水平方向に延出する支柱受け部１５６を備え、アーム型支柱１０３の水平に延出した先端部が、下部本体９の背面の支柱用開口１５Ｂを貫通して挿し込まれ、支柱受け部１５６に固定されている。
図１０及び図１１に示すように、支柱受け部１５６には、抜止めボルト１４８がねじ込まれている。この抜け止めボルト１４８を締めこんで支柱受け部１５６の内側に突出させ、アーム型支柱１０３の先端部に設けられた抜止めボルト孔（不図示）に嵌合させることで、アーム型支柱１０３を軸としての下部本体９の回転止めおよび抜止めが行われる。
また、支柱受け部１５６の上側には、支柱締付ボルト１４９がねじ込まれている。この支柱締付ボルト１４９を締めこんで、アーム型支柱１０３の先端部をクランプ部１３１の支柱受け部１５６に押し付けることで、下部本体９のがたつきが防止される。
クランプ部１３１の支柱受け部１５６に嵌合するアーム型支柱１０３の先端部には、落下防止ワイヤ９２を止着するための支持軸１８５が備えられている。そして、取付部３３内において、アーム型支柱１０３の先端の開口１０４のうち支持軸１８５よりも端子台５３側に寄せた位置に臨ませて、ホルダ１９４が配置されている。ホルダ１９４は、下部本体９の底面に一体に形成されたホルダ取付ボス１９５にねじ止めされている。このホルダ１９４は、アーム型支柱１０３の内側を水平に延出する電源ケーブル１５１を保持しており、このホルダ１９４で保持された電源ケーブル１５１は被覆を除去されて４本の細線１５２とされ、側方に湾曲して端子台５３に結線されている。
【００３５】
この照明器具１００においても、端子台カバー７７を備えた端子台ユニット７１がケース体である下部本体９の側壁部９Ａの内側に長手方向を沿わせて配置され、端子台カバー取付ねじ７５Ａ、７５Ｂを緩めた状態で、端子台カバー７７を側壁部９Ａの外側に向けてスライドさせて一端側の切欠部８１を端子台カバー取付ねじ７５Ａから外し、かつ、他端側の長孔８３を貫通する端子台カバー取付ねじ７５Ｂを基準に一端側である切欠部８１側を側壁部９Ａの外側に張り出すように回動させることで、端子台５３への結線、或いは端子台５３からの配線の取り外しを可能としたので、誤接触防止のための端子台カバー７７を備えた端子台ユニット７１を側壁部９Ａに近づけて配置しても、端子台カバー７７を取り外すことなく、端子台カバー７７を小さな角度θだけ回動させることで端子台５３上部の端子取付部７９を全て露出させて端子５４および端子４２の取付または取り外し作業を容易に行うことができる。したがって、高い安全性と良好な作業性とを維持しながらも、ケース体である下部本体９の内部を省スペースとした照明器具１００を提供することができる。
【００３６】
図１２は、別の実施形態を示す。
なお、図１２において、上記の実施形態で説明した部分については同一の符号を付してその説明を省略する。
本実施形態では、防水構造の光源収容部２９にＬＥＤモジュール１７と、ドライバ／ＬＥＤ電源兼用装置２０７とが収容されている。ドライバ／ＬＥＤ電源兼用装置２０７は、図３に示すＬＥＤドライバユニット３９（点灯ユニット）と、図１に示すＬＥＤ電源７とを一体化した装置であり、ドライバ／ＬＥＤ電源兼用装置２０７を防水構造の光源収容部２９に収容する構成の照明器具２００に対しても、本発明を適用することが可能である。この照明器具２００においては、支柱３下部におけるＬＥＤ電源７の結線作業が不要となるため、作業の簡略化を図ることができる。
【００３７】
次いで、照明器具の電気的構成に係る電源供給回路ついて説明する。
図１３は照明器具１の電源供給回路８６の構成を示す。
電源供給回路８６は、ＬＥＤモジュール１７に電力を供給する回路であり、上述のＬＥＤ電源（図示ではＡＣ／ＤＣ電源）７と、ＬＥＤドライバユニット３９とを備えている。ＬＥＤ電源７は、上述の通り電源ケーブル５１を通じて端子台５３に接続され、この端子台５３に電線４１を通じてＬＥＤドライバユニット３９が接続され、端子台５３を介してＬＥＤ電源７とＬＥＤドライバユニット３９とが電気的に接続される。
ＬＥＤ電源７は、上述の通り支柱３の下部であって地面に立つ作業者の手が届く高さに内蔵されて、商用電源３００に接続されている。この商用電源３００は、道路の地中等に敷設された電源供給ラインを通じて接続されＬＥＤ電源７に接続され、このＬＥＤ電源７に交流電力を供給する。ＬＥＤ電源７は、商用電源３００から供給される交流電力を直流電力に変換するＡＣ−ＤＣコンバータ回路を内蔵し、一定電圧の直流電圧をＬＥＤドライバユニット３９に端子台５３を通じて出力する。
【００３８】
ＬＥＤドライバユニット３９は、ＬＥＤ電源７からの電力によりＬＥＤモジュール１７の点灯を制御するものであり、ＬＥＤ駆動回路部８７と、ＰＷＭ制御部８８とを備え、これらは光源収容部２９にＬＥＤモジュール１７とともに収められている。
ＰＷＭ制御部８８は、例えばマイコンを備え、時間軸によるＰＷＭ（Pulse Width Modulation）制御によりＬＥＤモジュール１７の明るさを制御するものであり、当該明るさに対応する駆動電流の電流値をパルス出力によりＬＥＤ駆動回路部８７に指示する。
ＬＥＤ駆動回路部８７は、ＰＷＭ制御部８８により指示された電流値の駆動電流をＬＥＤモジュール１７に供給して点灯するものであり、定電流制御のための制御回路を内蔵する。
【００３９】
また、ＰＷＭ制御部８８は、ＬＥＤモジュール１７の点灯制御において、ソフトスタート機能、初期照度補正機能、及び深夜減光機能を備えている。
ソフトスタート機能は、周囲が暗くなり、或いは所定時刻になったときにＬＥＤモジュール１７を点灯して道路を照明する際に、ＬＥＤモジュール１７を最大の明るさまで瞬時に点灯するのではなく、運転者の目の順応に応じた所定時間（例えば１０秒）をかけて徐々に明るさを増加させて点灯する機能である。このソフトスタート機能により、ＬＥＤモジュール１７の点灯に伴い路面輝度が急激に明るくなることがないため、運転者が驚く等の心理的悪影響を防止できる。
【００４０】
初期照度補正機能は、例えば図１４に示すようなＬＥＤモジュール１７の経時劣化に伴う光束低下を補償する機能である。すなわち、ＰＷＭ制御部８８は、ＬＥＤモジュール１７の点灯時間を計時する計時回路と、当該点灯時間の累積値、及び当該累積値に応じたＬＥＤモジュール１７の光束低下特性を記憶する記憶部（図示せず）と、を備えている。この光束低下特性としては、点灯時間の累積値と、光束を一定に維持する駆動電流値の関係を規定したものが用いられる。具体的には、初期には例えば約３７０ｍＡの駆動電流値が規定され、点灯時間の累積値に伴い駆動電流値を増加させ、例えば累積値が約４万時間に達した後には駆動電流値を約４３０ｍＡとするような関係が規定されている。そして、ＰＷＭ制御部８８は、この点灯時間の累積値、及び光束低下特性に基づいて、光束低下を補償する駆動電流値を求め、この駆動電流値でＬＥＤモジュール１７を点灯する。これにより、ＬＥＤモジュール１７の経時劣化によらず、照明器具１の明るさを長期に亘って略一定に保つことができる。また、この初期照度補正機能を備えることにより、ＬＥＤモジュール１７の寿命末期の明るさを担保すべく、この寿命末期に合せた駆動電流（例えば上記約４３０ｍＡ）を初期時から供給しなくとも良いため、寿命末期までの駆動電流を減らすことができ、消費電力の削減が図れる。
【００４１】
深夜減光機能は、道路の交通量が減る深夜（例えば点灯後約６時間経過時）に、ＬＥＤモジュール１７を所定割合（約５０％）だけ減光する機能であり、この減光時には、瞬時に減光するのではなく、運転者の目の順応に応じた所定時間（例えば２０秒）をかけて徐々に明るさを減らしている。これにより、深夜の交通量の少ない時間帯等に減光して省電力化が可能になる。なお、この深夜減光機能は、照明器具１が設置された道路の交通量が夜間に減るか否かに基づいて、作業者によるジャンパピン等の手動操作による設定、或いはプログラムによる設定等により有効／無効の設定が可能に構成されている。
【００４２】
電源供給回路８６は、図１３に示すように、ＬＥＤ電源７、ＬＥＤドライバユニット３９、及びＬＥＤモジュール１７の組を商用電源３００に対して並列に２組接続して構成され、ＬＥＤモジュール１７の点灯系統に第１及び第２系統Ｃ１、Ｃ２の２つの系統を備えて構成されている。
ＬＥＤモジュール１７には、上述の通り、路面の照射位置が異なるＬＥＤモジュール１７Ａ、１７Ｂ、及び１７Ｃの３つが含まれており、それぞれのＬＥＤモジュール１７Ａ、１７Ｂ、及び１７Ｃのそれぞれが、いずれも第１系統Ｃ１、及び第２系統Ｃ２に、光量及び配光が同一になるように設けられている。
このように電源供給回路８６は第１及び第２系統Ｃ１、Ｃ２を備えて構成されているので、万一、第１系統Ｃ１または第２系統Ｃ２のいずれかが断線や回路故障等により電気的に遮断された場合でも、他方の系統でのＬＥＤモジュール１７の点灯により、路面の配光分布（照度分布）が維持されるため、照明器具１の照射範囲の路面に暗所が生じるのを防止できる。
【００４３】
なお、この電源供給回路８６は、照明器具１に限らず、照明器具１００も同様に備える。また照明器具２００については、電源供給回路８６のＬＥＤドライバユニット３９にＬＥＤ電源７を一体に構成してドライバ／ＬＥＤ電源兼用装置２０７としたものが備えられる。
【００４４】
図１５は、ＰＷＭ制御部８８による点灯制御のフローチャート（スタート（電源ＯＮ）処理）である。
この図に示すように、周囲環境の照度が所定値以下まで暗くなり、或いは所定時刻（夕方など）に達すると、ＰＷＭ制御部８８は、ＬＥＤモジュール１７を点灯すべく、ＬＥＤモジュール１７の駆動電流の電流値を、上記初期照度補正を考慮して決定する（ステップＳ１）。次いで、ＰＷＭ制御部８８は、この駆動電流の電流値をＬＥＤ駆動回路部８７に指示してＬＥＤモジュール１７の点灯を開始する（ステップＳ２）。このステップＳ２においては、ＰＷＭ制御部８８は、ソフトスタート機能により、所定時間（例えば１０秒）をかけて駆動電流の電流値がステップＳ１で決定した電流値に達するようにＬＥＤ駆動回路部８７に指示する。
【００４５】
その後、ＰＷＭ制御部８８は、深夜減光機能が無効にされている場合（ステップＳ３：無効）、通常点灯モードで点灯を継続する（ステップＳ４）。この通常点灯モードは、駆動電流の電流値をステップＳ１で決定した電流値に維持してＬＥＤモジュール１７の点灯を継続する点灯モードである。
一方、ＰＷＭ制御部８８は、深夜減光機能が有効にされている場合（ステップＳ３：有効）、深夜になったときに深夜点灯モードで点灯する。すなわち、ＰＷＭ制御部８８は、点灯開始時から所定時間（例えば約６時間）が経過したときに駆動電流の電流値を徐々に減少させてＬＥＤモジュール１７を減光し（ステップＳ５）、その後、所定割合（例えば約５０％）だけ減光した状態で点灯を継続する上記深夜点灯モードで点灯を継続する（ステップＳ６）。
【００４６】
なお、上述した実施形態は、あくまでも本発明の一態様を示すものであり、本発明の趣旨を逸脱しない範囲で任意に変形および応用が可能である。
【００４７】
上述した各実施形態では、防水構造の光源収容部２９に、光源たるＬＥＤモジュール１７を収容する照明器具１、１００、２００を示したが、光源はこれに限定されず、長寿命を有するＨＩＤランプであってもよい。長寿命を有するＨＩＤランプを適用する場合にも、光源収容部２９を完全にメンテナンスフリーとすることができ、取付および保守作業を簡略化して使い勝手を向上させることができる。
【００４８】
また、開閉自在な蓋体１３が、クランプ部３１及び端子台５３を収容する取付部３３の上方のみを覆う照明器具１を示したが、蓋体１３が照明器具１の上半部全てを覆うように構成されていてもよい。この場合にも、端子台カバー７７で覆われた端子台５３が下部本体９の側壁部９Ａの内側に長手方向を沿わせて配置され、端子台カバー取付ねじ７５Ａ、７５Ｂを緩めた状態で、端子台カバー７７を側壁部９Ａの外側に向けてスライドさせて一端側の切欠部８１を端子台カバー取付ねじ７５Ａから外し、かつ、他端側の長孔８３を貫通する端子台カバー取付ねじ７５Ｂを基準に一端側である切欠部８１側を側壁部９Ａの外側に張り出すように回動させることで、端子台５３への結線、或いは端子台５３からの配線の取り外しを可能とすることにより、高い安全性と良好な作業性とを維持しながらも、下部本体９の内部を省スペースとすることができる。なお、同様の効果を他の実施形態で説明した照明器具１００、２００も奏する。
【符号の説明】
【００４９】
１、１００、２００  照明器具
３、１０３  支柱
９  下部本体
１３  蓋体
１７  ＬＥＤモジュール
１９  ＬＥＤユニット
２１  ＬＥＤ素子（光源、ＬＥＤ）
２９  光源収容部
３１、１３１  クランプ部
３３  取付部
３４  排水口
３５  隔壁
４１  電線（配線）
５１、１５１  電源ケーブル
５３  端子台
７５  端子台カバー取付ねじ（止め具）
７７  端子台カバー
【図１】
0005609408.tif 000002
【図２】
0005609408.tif 000003
【図３】
0005609408.tif 000004
【図４】
0005609408.tif 000005
【図５】
0005609408.tif 000006
【図６】
0005609408.tif 000007
【図７】
0005609408.tif 000008
【図８】
0005609408.tif 000009
【図９】
0005609408.tif 000010
【図１０】
0005609408.tif 000011
【図１１】
0005609408.tif 000012
【図１２】
0005609408.tif 000013
【図１３】
0005609408.tif 000014
【図１４】
0005609408.tif 000015
【図１５】
0005609408.tif 000016